(57)【要約】【課題】集合郵便受けのある共用エントランス空間を備えた集合住宅において、入居者が安心して集合郵便受けを使用できるようにする。【解決手段】集合住宅１は、共用出入り口１０と共用廊下１１とをつなぐ共用エントランス空間１２を仕切って二つの通路２０、２１を形成する仕切り装置２２と、二つの通路のうちの一方の通路２０側に設けられた集合郵便受け２３と、を備えている。二つの通路のうちの少なくとも一方の通路２０には、通行人が待機可能な待機装置２４、２５が設けられている。【選択図】図１
2015224511.tif 000002
【特許請求の範囲】
【請求項１】
共用出入り口と共用廊下とをつなぐ共用エントランス空間を仕切って二つの通路を形成する仕切り装置と、
前記二つの通路のうちの一方の通路に設けられた集合郵便受けと、を備える、集合住宅。
【請求項２】
前記二つの通路のうちの少なくとも一方の通路には、待機装置が設けられている、請求項１に記載の集合住宅。
【請求項３】
前記待機装置は、当該待機装置を利用している待機人が前記集合郵便受けを視認できない位置に設けられている、請求項２に記載の集合住宅。
【請求項４】
前記待機装置は、前記共用エントランス空間の前記集合郵便受けのある壁面と異なる壁面に設けられている、請求項２又は３に記載の集合住宅。
【請求項５】
前記待機装置は、外部から前記共用出入り口を介して前記待機人を視認できない位置に設けられている、請求項２〜４のいずれかに記載の集合住宅。
【請求項６】
前記仕切り装置の少なくとも一部が外部から前記共用出入り口を介した前記待機人への視線を遮断するように構成されている、請求項５に記載の集合住宅。
【請求項７】
前記仕切り装置は、当該仕切り装置を挟んだ反対側の通路から前記待機人の存在を認識できるが、前記待機人を識別できないように構成されている、請求項２〜６のいずれかに記載の集合住宅。
【請求項８】
前記待機装置のある通路には、前記集合郵便受けが設けられた前記共用出入り口側の床面より、前記共用廊下側の床面が高くなるよう高低差が設けられている、請求項２〜７のいずれかに記載の集合住宅。
【請求項９】
前記集合郵便受けは、前記二つの通路のうちの前記集合郵便受けのない他方の通路の通行人が、使用されている郵便受けを特定できない位置に設けられている、請求項１〜８のいずれかに記載の集合住宅。
【発明の詳細な説明】
【技術分野】
【０００１】
本発明は、集合住宅に関する。
【背景技術】
【０００２】
マンションなどの集合住宅は、一般的に共用出入り口と、各住戸に通じる共用廊下との間に共用エントランス空間を備えている。この共用エントランス空間には、各住戸の郵便受けがまとめられた集合郵便受けを設けることがある。
【先行技術文献】
【特許文献】
【０００３】
【特許文献１】特開２００６−１１８２１８号公報
【発明の概要】
【発明が解決しようとする課題】
【０００４】
しかしながら、上述のように集合住宅の集合郵便受けが共用エントランス空間に設けられている場合、入居者が集合郵便受けから送付物を取り出すところを共用エントランス空間の通行人等に視認されて、郵便受けの表示から住戸室番や名前等の個人情報が知られてしまう虞がある。特に小規模の集合住宅では共用エントランス空間が狭く、視認されやすい。
【０００５】
その結果、入居者に、自分の個人情報が知られてしまうのではないかという不安感や、あるいは他人の個人情報を知ろうとする意図がないのに送付物を取り出す入居者の背後等を通行することで怪しまれたくないという心理がはたらき、入居者の心理的な安心感を形成する上で妨げになる場合があった。
【０００６】
本出願はかかる点に鑑みてなされたものであり、集合郵便受けのある共用エントランス空間を備えた集合住宅において入居者が安心して集合郵便受けを使用できるようにすることをその目的とする。
【課題を解決するための手段】
【０００７】
上記目的を達成するための本発明は、共用出入り口と共用廊下とをつなぐ共用エントランス空間を仕切って二つの通路を形成する仕切り装置と、前記二つの通路のうちの一方の通路に設けられた集合郵便受けと、を備える、集合住宅を含む。
【０００８】
前記二つの通路のうちの少なくとも一方の通路には、待機装置が設けられていてもよい。なお、ここでいう「待機装置」とは、ある居住者による集合郵便受けの使用（送付物の取り出し等）の終了を、通路の通行人（例えば、別の居住者）が、待機するために利用する装置のことをいう。
【０００９】
前記待機装置は、当該待機装置を利用している待機人が前記集合郵便受けを視認できない位置に設けられていてもよい。なお、ここでいう「待機人」とは、待機装置に対し正対している等、通常の状態で待機装置を利用する人をいう。
【００１０】
前記待機装置は、前記共用エントランス空間の前記集合郵便受けのある壁面と異なる壁面に設けられていてもよい。
【００１１】
前記待機装置は、外部から前記共用出入り口を介して前記待機人を視認できない位置に設けられていてもよい。
【００１２】
前記仕切り装置の少なくとも一部が外部から前記共用出入り口を介した前記待機人への視線を遮断するように構成されていてもよい。
【００１３】
前記仕切り装置は、当該仕切り装置を挟んだ反対側の通路から前記待機人の存在を認識できるが、前記待機人を識別できないように構成されていてもよい。
【００１４】
前記待機装置のある通路には、前記集合郵便受けが設けられた前記共用出入り口側の床面より前記共用廊下側の床面が高くなるよう高低差が設けられていてもよい。
【００１５】
前記集合郵便受けは、前記二つの通路のうちの前記集合郵便受けのない他方の通路の通行人が、使用されている郵便受けを特定できない位置に設けられていてもよい。
【発明の効果】
【００１６】
本発明によれば、集合郵便受けのある共用エントランス空間を備えた集合住宅において入居者が安心して集合郵便受けを使用できる。
【図面の簡単な説明】
【００１７】
【図１】集合住宅の共用エントランス空間周辺の平面図である。
【図２】共用エントランス空間の縦断面の説明図である。
【発明を実施するための形態】
【００１８】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１９】
図１は、本実施の形態における集合住宅１の共用エントランス空間の一例を示す平面図である。
【００２０】
集合住宅１は、例えば２０戸未満の小規模集合住宅であり、例えば女性専用の集合住宅であってもよい。集合住宅１は、共用出入り口１０と、入居者の各住戸へ通じる共用廊下１１と、共用出入り口１０と共用廊下１１とをつなぐ共用エントランス空間１２を備えている。共用出入り口１０には、例えば透明ガラスを使用した自動ドアが設けられている。自動ドアには、オートロック機構が設けられている。
【００２１】
共用エントランス空間１２は、例えば平面から見て方形状を有し、例えば１０ｍ2〜２０ｍ2の面積を有している。共用エントランス空間１２は、共用エントランス空間１２を仕切って二つの通路２０、２１を形成する仕切り装置２２と、二つの通路２０、２１のうちの一方の通路（第１の通路）２０に配置された集合郵便受け２３と、第１の通路２０に配置された待機装置２４、２５と、を有している。
【００２２】
集合郵便受け２３は、屋外側に送付物の投函口を有するとともに共用エントランス空間１２側に送付物の取出し口を有している。また集合郵便受け２３は、例えば集合住宅１の外部を通行する外部通行人が集合郵便受け２３の取出し口側を視認できない位置に設けられている。例えば集合郵便受け２３は、共用エントランス空間１２内の共用出入り口１０のある第１の壁面４０に設けられている。また、集合郵便受け２３は、第１の壁面４０の共用出入口１０の第１の通路２０側の位置に設けられており、集合郵便受け２３のない第２の通路２１の通行人（例えば入居者Ｂ）が、例えば入居者Ａによって使用されている住戸別の郵便受けを特定しにくい位置に設けられている。
【００２３】
仕切り装置２２は、図１及び図２に示すように例えば共用エントランス空間１２の中央付近に配置されている。仕切り装置２２は、例えば上端が天井に達していない壁（パーティション）であり、例えば１３００ｍｍ〜１８００ｍｍ程度の高さを有している。仕切り装置２２は、共用出入り口１０側の第１の壁面４０に正対するように設けられいる。
【００２４】
図１に示す待機装置２４、２５は、例えば掲示板、本棚などの棚、ベンチやソファーなどの着座装置、入居者が共用する物を収納するシェア用品庫等である。待機装置２４、２５は、例えば共用出入り口１０から共用廊下１１に向けて第１の通路２０の壁面に沿ってこの順で設けられている。第１の待機装置２４は、例えば共用出入り口１０及び集合郵便受け２３側の第１の壁面４０に隣接する第２の壁面４１に設けられ、第２の待機装置２５は、共用出入り口１０及び集合郵便受け２３が設けられている壁面４０に対向する第３の壁面４２に設けられている。この結果、待機装置２４、２５は、当該待機装置２４、２５を利用している待機人（例えば入居者Ｃ）が集合郵便受け２３を視認できない位置に設けられている。例えば待機装置２４、２５を利用（掲示板に貼られている掲示物を見る行為、あるいは本棚から取り出した本を立ち読みする行為等）している待機人が待機装置に正対する向きを１２時の向きとした場合、３時の向き〜９時の向きの範囲にある位置に集合郵便受け２３が設けられている。あるいは、仕切り装置２２の存在によって、待機装置２５を利用する待機人から視認できない位置に集合郵便受け２３が設けられている。
【００２５】
仕切り装置２２は、第２の待機装置２５と共用出入り口１０との間に設けられており、仕切り装置２２の少なくとも一部が外部から共用出入り口１０を介した第２の待機装置２５の待機人への視線を遮断している。
【００２６】
仕切り装置２２は、例えば一部が半透明素材で構成されたり、上方や足元が開放されたりしている。また、仕切り装置２２は、スリットや小窓を備えていてもよい。このように、仕切り装置２２は、当該仕切り装置２２を挟んだ反対側の通路から第２の待機装置２５で待機している待機人の存在を認識できるが、その待機人を識別できないように構成されている。
【００２７】
第１の通路２０において、仕切り装置２２の集合郵便受け２３から見えない位置には、待機装置であるソファなどの着座装置５０が設けられている。
【００２８】
待機装置２４、２５のある第１の通路２０には、集合郵便受け２３が設けられた共用出入り口１０側の床面より共用廊下１１側の床面が高くなるよう段差６０（高低差）が設けられている。また、第２の通路２１にも共用出入り口１０側より共用廊下１１側が高くなる段差６１が設けられている。
【００２９】
以上のように構成された集合住宅１では、例えば入居者が共用出入り口１０から共用エントランス空間１２を通って共用廊下１１に行く際、或いは共用廊下１１から共用エントランス空間１２を通って共用出入り口１０に行く際に、第１の通路２０と第２の通路２１の２つの通路を選択できる。例えばある入居者Ａが第１の通路２０の集合郵便受け２３で送付物を取り出している際には、他の入居者Ｂは、集合郵便受け２３のない第２の通路２１を通って集合住宅１に出入りすることができる。これにより、例えば入居者Ａの郵便受けに表示された個人情報（住戸の室番や名前）が入居者Ｂに知られることを抑制できる。また、入居者Ｂが入居者Ａの個人情報を入手しようとしている人物として怪しまれることを抑制できる。これにより、集合住宅１の入居者が安心して集合郵便受け２３を利用できる。
【００３０】
また、入居者Ｃが集合郵便受け２３を利用しようとしたところ、すでに入居者Ａが集合郵便受け２３で送付物の取り出しを行っていた場合に、入居者Ｃは待機装置２４、２５を利用して待機しながら集合郵便受け２３の使用の順番待ちを行うことができる。この結果、入居者Ｃの姿が不自然に映らず、入居者Ａや他の入居者から怪しまれることを抑制できる。
【００３１】
待機装置２４、２５は、当該待機装置２４、２５を利用している待機人が集合郵便受け２３を視認できない位置に設けられている。例えば待機人が待機装置に正対する向きを１２時の向きとした場合、３時の向き〜９時の向きの範囲にある位置に集合郵便受け２３が設けられているので、集合郵便受け２３を利用している入居者Ａの個人情報が、待機装置２５を利用している入居者Ｃに知られることを抑制できる。
【００３２】
待機装置２４、２５は、共用エントランス空間１２の集合郵便受け２３のある壁面４０と異なる壁面４１、４２に設けられているので、集合郵便受け２３を利用している入居者Ａの個人情報が、待機装置２４、２５を利用している入居者Ｃに知られることを抑制できる。
【００３３】
待機装置２５は、外部から共用出入り口１０を介して待機人を視認できない位置に設けられているので、待機人である入居者Ｃは、外部の通行人の視線を気にすることなく安心して待機することができる。
【００３４】
仕切り装置２２の少なくとも一部が外部から共用出入り口１０を介した待機人への視線を遮断するように構成されているので、待機人である入居者Ｃは、外部の通行人の視線を気にすることなく安心して待機することができる。
【００３５】
仕切り装置２２は、例えば待機装置２５の待機人の存在を仕切り装置２２を挟んだ反対側の通路から認識できるが、前記待機人を識別できないように構成されているので、待機装置２５に待機人である入居者Ｃがいる場合に、他の入居者（例えば、入居者Ａや入居者Ｂ）がその入居者Ｃとかち合わないようにして、お互いの匿名性を保つことができる。
【００３６】
待機装置２５のある第１の通路２０には、集合郵便受け２３が設けられた共用出入り口１０側の床面より共用廊下１１側の床面が高くなるよう段差６０（高低差）が設けられているので、例えば集合郵便受け２３を使用しようとしている入居者Ｃが高いところから、集合郵便受け２３を使用している入居者Ａの存在を認識しやすくなり、入居者Ａが集合郵便受け２３を使用終了するのを待機装置２５で待機することができる。これによって、入居者Ｃが入居者Ａから怪しまれることを抑制できる。
【００３７】
集合郵便受け２３は、集合郵便受け２３のない第２の通路２１の通行人が、入居者Ａにより使用されている郵便受けを特定しにくい位置に設けられているので、入居者Ａの個人情報をが第２の通路２１の通行人に知られることを抑制できる。なお、「使用されている郵便受けを特定しにくい位置」には、集合郵便受けのない通路を通る通行人が、個人の郵便受けを視認できない位置のみならず、視認はできるが、使用されている郵便受けがだれの郵便受けか特定できる程度に見えない位置も含まれる。
【００３８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば以上の実施の形態では、待機装置が一つの通路２０に設けられていたが、両方の通路２０、２１にそれぞれ設けられていてもよい。また、待機装置は、共用エントランス空間１２の壁面４１、４２に限られず、他の壁面４０や、仕切り装置２２に隣接して設けられていてもよい。また、複数の待機装置のうちの少なくとも一部、あるいは一つの待機装置のうちの少なくとも一部が、その待機人が集合郵便受け２３を視認できない位置に設けられるようにしてもよい。また、待機装置は、必ずしもなくてもよい。本実施の形態で記載した待機装置２４、２５、仕切り装置２２、集合郵便受け２３の位置や数、形、配置、構造はこれに限られない。通路２０、２１の段差６０、６１はなくてもよい。共用エントランス空間１２、共用出入り口１０及び共用廊下１１の構成もこれに限られない。
【産業上の利用可能性】
【００４０】
本発明は、集合郵便受けのある共用エントランス空間を備えた集合住宅において入居者が安心して集合郵便受けを使用できるようにする際に有用である。
【符号の説明】
【００４１】
１  集合住宅
１０  共用出入り口
１１  共用廊下
１２  共用エントランス空間
２０  第１の通路
２１  第２の通路
２２  仕切り装置
２３  集合郵便受け
２４、２５  待機装置
Ａ、Ｂ、Ｃ  入居者
【図１】
2015224511.tif 000003
【図２】
2015224511.tif 000004